(57)【特許請求の範囲】
【請求項１】
他の送信装置と共にマルチユーザＭＩＭＯシステムが適用される送信装置であって、
前記マルチユーザＭＩＭＯシステムは、伝送方式としてシングルキャリア伝送方式とマルチキャリア伝送方式とを用い、システム帯域の一部の周波数帯域のみでマルチユーザＭＩＭＯシステムを適用するシステムであり、
前記他の送信装置が用いる伝送方式とは異なる伝送方式を用いて送信信号を送信する送信部を備えることを特徴とする送信装置。
【請求項２】
前記伝送方式は、所要送信電力に応じて決定されることを特徴とする請求項１に記載の送信装置。
【請求項３】
前記シングルキャリア伝送方式は、前記送信信号を連続するサブキャリアから構成される周波数帯域に配置する方式と非連続なサブキャリアから構成される周波数帯域に配置する方式とを含むことを特徴とする請求項１または２に記載の送信装置。
【請求項４】
前記送信信号を連続するサブキャリアから構成される周波数帯域に配置する方式は、ＤＦＴ−Ｓ−ＯＦＤＭであり、前記非連続なサブキャリアから構成される周波数帯域に配置する方式は、Ｃｌｕｓｔｅｒｅｄ ＤＦＴ−Ｓ−ＯＦＤＭであることを特徴とする請求項３に記載の送信装置。
【請求項５】
２以上の送信装置から送信される送信信号を受信し、マルチユーザＭＩＭＯシステムが適用される受信装置であって、
前記マルチユーザＭＩＭＯシステムは、伝送方式としてシングルキャリア伝送方式とマルチキャリア伝送方式とを用い、システム周波数帯域の一部の周波数帯域のみでマルチユーザＭＩＭＯシステムを適用するシステムであり、
少なくとも２つの前記送信装置から、それぞれ異なる前記伝送方式を用いて送信された送信信号を受信する受信部と、
受信した受信信号を分離する分離部とを備えることを特徴とする受信装置。
【請求項６】
前記分離部は、ＭＭＳＥ重みを用いて前記受信信号を分離することを特徴とする請求項５に記載の受信装置。
【請求項７】
前記受信部が、前記２以上の送信装置から、前記マルチユーザＭＩＭＯシステムが適用された送信信号を受信した場合、
前記分離部は、ＭＭＳＥ重みを用いて、前記受信信号を前記送信装置毎に分離することを特徴とする請求項５に記載の受信装置。
【請求項８】
マルチユーザＭＩＭＯシステムが適用される送信装置の送信方法であって、
前記マルチユーザＭＩＭＯシステムは、伝送方式としてシングルキャリア伝送方式とマルチキャリア伝送方式とを用い、システム周波数帯域の一部の周波数帯域のみでマルチユーザＭＩＭＯシステムを適用するシステムであり、
他の送信装置が用いる伝送方式とは異なる伝送方式を用いて送信信号を送信するステップを少なくとも含むことを特徴とする送信方法。
【請求項９】
マルチユーザＭＩＭＯシステムが適用される受信装置の受信方法であって、
前記マルチユーザＭＩＭＯシステムは、伝送方式としてシングルキャリア伝送方式とマルチキャリア伝送方式とを用い、システム周波数帯域の一部の周波数帯域のみでマルチユーザＭＩＭＯシステムを適用するシステムであり、
少なくとも第１の送信装置および第２の送信装置から、それぞれ異なる前記伝送方式を用いて送信された送信信号を受信するステップと、
受信した受信信号を、前記送信装置毎に分離するステップとを少なくとも含むことを特徴とする受信方法。
【請求項１０】
マルチユーザＭＩＭＯシステムが適用される少なくとも２以上の送信装置と受信装置とから構成される通信システムであって、
前記マルチユーザＭＩＭＯシステムは、伝送方式としてシングルキャリア伝送方式とマルチキャリア伝送方式とを含み、使用するサブキャリアの一部に適用するシステムであり、
前記２以上の送信装置のうち少なくとも第１の送信装置は、
前記伝送方式としてシングルキャリア伝送方式を用いて送信信号を送信し、
前記２以上の送信装置のうち少なくとも第２の送信装置は、
前記伝送方式としてマルチキャリア伝送方式を用いて送信信号を送信し、
前記受信装置は、
少なくとも前記第１の送信装置および前記第２の送信装置から、それぞれ送信された送信信号を受信し、受信した受信信号を分離することを特徴とする通信システム。
【発明の詳細な説明】
【技術分野】
【０００１】
本発明は、複数の送信装置が少なくとも一つの受信装置に対して送信を行なうマルチユーザＭＩＭＯシステムを適用した送信装置、受信装置、送信方法、受信方法および通信システムに関する。
【背景技術】
【０００２】
次世代の移動通信では、高速なデータ伝送が求められている。高速なデータ伝送を行なうためには、広い周波数帯域が必要となる。しかし、無線通信の伝搬路では、多数の遅延波（マルチパス）から構成される周波数選択性フェージングが生ずる。このような通信環境の下で、広帯域シングルキャリア伝送を行なう場合、受信信号のサンプリング間隔が短くなるため、伝搬路の遅延波によって、シンボル間干渉が生じてしまい、伝送特性が大幅に劣化してしまう。シンボル間干渉を時間領域信号処理によって抑圧する技術も存在するが、受信機の回路規模が膨大になってしまうという問題がある。
【０００３】
そこで、直交周波数間隔に配置された多数の狭帯域サブキャリアを用いて周波数領域で並列に大容量伝送する直交周波数分割多重（Orthogonal Frequency Division Multiplexing; OFDM）や、マルチキャリアＣＤＭＡ（Multi-Carrier Code Division Multiple Access; MC-CDMA）のようなマルチキャリア伝送が注目を集めている。
【０００４】
マルチキャリア伝送は、ＯＦＤＭシンボル区間の後方の波形をガードインターバル（Guard Interval; ＧＩ）として前方に付加することによって、ＯＦＤＭシンボルの周期性を維持することができる。このため、周波数選択性フェージング環境下においても、各サブキャリアがマルチパスの影響を受けず、サブキャリア間の直交性を維持したまま、パス数に依存しない信号処理が可能となる。このため、３ＧＰＰ（3rd Generation Partnership Project）の規格であるＬＴＥ（Long Term Evolution）では、下りリンク（基地局から移動端末への伝送）において、ＯＦＤＭが採用されている。また、その他に、地上ディジタル放送、無線ＬＡＮ（Local Area Network）等においてもＯＦＤＭが用いられている。
【０００５】
一方、移動通信の上りリンク（移動端末から基地局への伝送）においては、移動端末の送信電力増幅器の非線形性の問題から、ＰＡＰＲ（Peak to Average Power Ratio）の高いＯＦＤＭ伝送を用いるのは難しく、シングルキャリア伝送を用いることが望まれる。そこで、ＬＴＥの上りリンクにおいては、ＳＣ−ＦＤＭＡ（Single Carrier Frequency Division Multiple Access（DFT-S-OFDMとも称される））と呼ばれるシングルキャリア伝送が採用されている。ＳＣ−ＦＤＭＡでは、ＯＦＤＭと同様の考え方を用いてシングルキャリア伝送にＧＩを付加し、周波数領域で１回の乗算で信号の歪みを補償する等化（周波数領域等化）を用いることによって、シンボル間干渉を抑圧しつつ周波数ダイバーシチ効果を得た良好な伝送特性を達成できる。このように、近年の移動通信では、上下リンクで異なる伝送方式を採用しているという現状がある。
【０００６】
しかしながら、周波数領域等化を用いたシングルキャリア伝送では、完全にはシンボル間干渉を抑圧できないため、伝送特性がマルチキャリア伝送（例えば、ＯＦＤＭ）より若干劣化するという問題がある。また、シングルキャリア伝送は、周波数軸上での適応変調を行なうことができないため、マルチキャリア伝送よりスループット（周波数利用効率）が低下してしまう。
【０００７】
このような課題があることから、特許文献１では、シングルキャリア型の無線アクセス方式とマルチキャリア型の無線アクセス方式とを切り替えることができる送信装置、受信装置および移動通信システム並びに送信制御方法を提案している。特許文献１では、送信装置に、伝送方式を切り替える切り替え部を設けている。この切り替え部は、所要送信電力が高くＰＡＰＲの高いマルチキャリア伝送を行なうことができない場合は、シングルキャリア伝送を選択する。一方、送信電力が低く、ＰＡＰＲが問題にならない送信装置はマルチキャリア伝送を選択する。これにより、セル全体のスループットを向上させることができる。
【０００８】
このように、上下リンクで異なる伝送方式を用いるだけでなく、上りリンク内でも異なる伝送方式を用いる移動端末を存在させることが提案されており、現在３ＧＰＰにおいて盛んに検討が行なわれている（非特許文献１）。
【先行技術文献】
【特許文献】
【特許文献１】特開２００７−１５１０５９号公報
【非特許文献】
【非特許文献１】Ｒ１−０８２５７５、ＮＴＴ  ＤｏＣｏＭｏ
【発明の開示】
【発明が解決しようとする課題】
【０００９】
特許文献１では、シングルキャリアユーザとマルチキャリアユーザは、時間分割多重または周波数分割多重される。しかしながら、さらなるシステム全体としての高速化を実現するためには、複数のユーザが同一時刻かつ同一周波数で送信を行ない、基地局が各ユーザの信号を分離するマルチユーザＭＩＭＯ(Multiple Input Multiple Output)を適用し、これによりスループットを向上させることが好ましい。一方、上りリンクで異なる伝送方式が採用されるシステムは、従来存在しなかったため、マルチユーザＭＩＭＯとしては全ユーザがシングルキャリア（あるいはマルチキャリア）伝送を行なうことが検討されてきた。
【００１０】
しかしながら、各ユーザが、同一時刻かつ同一周波数で異なる伝送方式を用いた、つまりシングルキャリアとマルチキャリアが混在する環境でのマルチユーザＭＩＭＯは、これまでのシステムのあり方として存在しない概念であった。すなわち、従来は、あるユーザがシングルキャリア伝送を行なっている帯域は、他のユーザはマルチキャリア伝送を行なうことができる環境であってもシングルキャリア伝送を行なわざるを得なかった。一方、既にあるユーザがマルチキャリア伝送を行なっている帯域では、他のユーザはマルチキャリア伝送を行なわざるを得ないが、マルチキャリア伝送を行なえる環境ではない場合、その帯域での通信自体を諦めざるを得なかった。
【００１１】
本発明は、このような事情に鑑みてなされたものであり、各送信装置が異なる伝送方式を用いた場合においても、各送信装置の信号を分離することができるマルチユーザＭＩＭＯシステムを適用した送信装置、受信装置、送信方法、受信方法および通信システムを提供することを目的とする。
【課題を解決するための手段】
【００１２】
（１）上記の目的を達成するために、本発明は、以下のような手段を講じた。すなわち、本発明の送信装置は、他の送信装置と共にマルチユーザＭＩＭＯシステムが適用される送信装置であって、前記他の送信装置とは異なる伝送方式を用いて送信信号を送信する送信部を備えることを特徴としている。
また、本発明の送信装置及び前記他の送信装置は、使用するサブキャリアの一部において前記マルチユーザＭＩＭＯシステムを適用することを特徴としている。
また、本発明の前記伝送方式は、所要送信電力に応じて決定されることを特徴としている。
また、本発明の伝送方式は、前記送信信号を連続するサブキャリアに配置する伝送方式と非連続なサブキャリアに配置する伝送方式とを含むことを特徴としている。
また、本発明の受信装置は、２以上の送信装置から送信される送信信号を受信し、マルチユーザＭＩＭＯシステムが適用される受信装置であって、少なくとも２つの前記送信装置から、それぞれ異なる伝送方式を用いて送信された送信信号を受信する受信部と、受信した受信信号を分離する分離部とを備えることを特徴としている。
また、本発明の受信装置の前記分離部は、ＭＭＳＥ重みを用いて前記受信信号を分離することを特徴としている。
また、本発明の受信装置の前記受信部が、前記２以上の送信装置から、使用するサブキャリアの一部においてマルチユーザＭＩＭＯシステムが適用された送信信号を受信した場合、前記分離部は、ＭＭＳＥ重みを用いて、前記受信信号を前記送信装置毎に分離することを特徴としている。
また、本発明のマルチユーザＭＩＭＯシステムが適用される送信装置の送信方法は、他の送信装置とは異なる伝送方式を用いて送信信号を送信するステップを少なくとも含むことを特徴としている。
また、本発明のマルチユーザＭＩＭＯシステムが適用される受信装置の受信方法は、少なくとも２つの送信装置から、それぞれ異なる伝送方式を用いて送信された送信信号を受信するステップと、受信した受信信号を、前記送信装置毎に分離するステップとを少なくとも含むことを特徴とする受信方法。
また、本発明のマルチユーザＭＩＭＯシステムが適用される少なくとも２以上の送信装置と受信装置とから構成される通信システムは、前記２以上の送信装置のうち少なくとも一つの送信装置は、他の送信装置とは異なる伝送方式を用いて送信信号を送信し、前記受信装置は、前記２以上の送信装置のうち少なくとも２つの送信装置から、それぞれ異なる伝送方式を用いて送信された送信信号を受信し、受信した受信信号を分離することを特徴としている。
また、マルチユーザＭＩＭＯシステムは、複数の送信装置が少なくとも一つの受信装置に対して送信を行なうマルチユーザＭＩＭＯシステムであって、異なる伝送方式で無線送信を行なう複数の送信装置と、前記各送信装置から無線送信された信号を受信し、前記受信した信号を前記送信装置毎に分離してデータを取得する少なくとも一つの受信装置と、から構成されることを特徴としている。
【００１３】
このように、複数の送信装置が、異なる伝送方式で無線送信を行ない、少なくとも一つの受信装置が、各送信装置から無線送信された信号を受信し、受信した信号を送信装置毎に分離してデータを取得するので、異なる伝送方式で無線送信を行なう送信装置が混在する環境においても、受信装置が信号を分離することができる無線通信システムを提供することができる。これにより、各送信装置は、他の送信装置の伝送方式に関わらず、伝送方式を決定することができる。その結果、セルスループットを向上させることが可能となる。
【００１４】
（２）また、本発明のマルチユーザＭＩＭＯシステムにおいて、前記送信装置は、システム帯域の一部の周波数帯域のみで多重を行ない、前記受信装置は、前記システム帯域の一部の周波数帯域のみで多重された信号の分離を行なうことを特徴としている。
【００１５】
このように、送信装置は、システム帯域の一部の周波数帯域のみで多重を行なうので、より柔軟な周波数スケジューリングを行なうことが可能となる。また、複数の送信装置の使用帯域が多重されていない、または多重数が受信アンテナ本数よりも少ない周波数帯域においては、受信アンテナダイバーシチ効果を得ることができるので、伝送特性の向上を図ることが可能となる。
【００１６】
（３）また、本発明の受信装置は、複数の送信装置が少なくとも一つの受信装置に対して送信を行なうマルチユーザＭＩＭＯシステムに適用される受信装置であって、同一時刻かつ同一周波数で、異なる伝送方式によって送信された信号を受信する受信部と、前記受信した信号を前記送信装置毎に分離するＭＩＭＯ分離部と、前記分離された信号の伝送方式に応じて、出力先を切り替える切り替え部と、伝送方式毎に設けられ、前記切り替え部からの出力信号を、伝送方式に応じて処理する信号処理部と、を備えることを特徴としている。
【００１７】
このように、同一時刻かつ同一周波数で、異なる伝送方式によって送信された信号を送信装置毎に分離し、分離した信号の伝送方式に応じて出力先を切り替えて、伝送方式に応じた処理を行なうので、異なる伝送方式で無線送信を行なう送信装置が混在する環境においても、受信装置が信号を分離することができる無線通信システムを提供することができる。これにより、各送信装置は、他の送信装置の伝送方式に関わらず、伝送方式を決定することができる。その結果、セルスループットを向上させることが可能となる。
【００１８】
（４）また、本発明の受信装置において、前記ＭＩＭＯ分離部は、ＭＭＳＥ（Minimum Mean Square Error）重みを用いて信号を分離することを特徴としている。
【００１９】
このように、ＭＭＳＥ重みを用いるので、各送信装置の伝送方式に関わらず、信号を分離することが可能となる。
【００２０】
（５）また、本発明の受信装置において、前記ＭＩＭＯ分離部は、ＭＭＳＥ重みを用いてシステム帯域の一部の周波数帯域のみで多重された信号の分離を行なうことを特徴としている。
【００２１】
このように、ＭＭＳＥ重みを用いてシステム帯域の一部の周波数帯域のみで多重された信号の分離を行なうので、送信装置は、システム帯域の一部の周波数帯域のみで多重を行なうことができ、より柔軟な周波数スケジューリングを行なうことが可能となる。また、複数の送信装置の使用帯域が多重されていない、または多重数が受信アンテナ本数よりも少ない周波数帯域においては、受信アンテナダイバーシチ効果を得ることができるので、伝送特性の向上を図ることが可能となる。
【００２２】
（６）また、本発明の送信装置は、複数の送信装置が少なくとも一つの受信装置に対して送信を行なうマルチユーザＭＩＭＯシステムに適用される送信装置であって、他の送信装置と同一時刻かつ同一周波数で、前記他の送信装置と異なる伝送方式によって、請求項３から請求項５のいずれかに記載の受信装置に対して無線信号を送信することを特徴としている。
【００２３】
このように、他の送信装置と同一時刻かつ同一周波数で、前記他の送信装置と異なる伝送方式によって、請求項３から請求項５のいずれかに記載の受信装置に対して無線信号を送信するので、異なる伝送方式で無線送信を行なう送信装置が混在する環境においても、受信装置が信号を分離することができる無線通信システムを提供することができる。
【発明の効果】
【００２４】
本発明によれば、複数の送信装置が、異なる伝送方式で無線送信を行ない、少なくとも一つの受信装置が、各送信装置から無線送信された信号を受信し、受信した信号を送信装置毎に分離してデータを取得するので、異なる伝送方式で無線送信を行なう送信装置が混在する環境においても、受信装置が信号を分離することができる無線通信システムを提供することができる。これにより、各送信装置は、他の送信装置の伝送方式に関わらず、伝送方式を決定することができる。その結果、セルスループットを向上させることが可能となる。
【図面の簡単な説明】
【００２５】
【図１】シングルキャリアで送信を行なう送信装置の概略構成を示す図である。
【図２】ＯＦＤＭで送信を行なう送信装置の概略構成を示す図である。
【図３】基地局において、Ｎｒ本の受信アンテナを持つ受信装置の概略構成を示す図である。
【図４】信号処理部の概略構成を示す図である。
【図５】シングルキャリア処理部の概略構成を示す図である。
【図６】マルチキャリア処理部の概略構成を示す図である。
【図７】ＭＩＭＯ分離部の概略構成を示す図である。
【図８】第１の実施形態の伝送特性を計算機シミュレーションした結果を示す図である。
【図９】Ｃｌｕｓｔｅｒｅｄ  ＤＦＴ−Ｓ−ＯＦＤＭで送信を行なう送信装置の概略構成を示す図である。
【図１０】ＯＦＤＭで送信を行なう送信装置の構成を示す図である。
【図１１】Ｃｌｕｓｔｅｒｅｄ  ＤＦＴ−Ｓ−ＯＦＤＭおよびＯＦＤＭのスペクトルが多重された様子を示す図である。
【図１２】第２の実施形態に係るＭＩＭＯ分離部の構成を示す図である。
【符号の説明】
【００２６】
１０  誤り訂正符号化部
１１  インタリーブ部
１２  変調部
１３  ＧＩ付加部
１４  フレーム構成部
１５  参照信号生成部
１６  無線送信部
１７  アンテナ部
２０  ＩＦＦＴ部
３０−１〜３０−ｐ  アンテナ部
３１−１〜３１−ｐ  無線受信部
３２−１〜３２−ｐ  参照信号分離部
３３−１〜３３−ｐ  ＧＩ除去部
３４−１〜３４−ｐ  ＦＦＴ部
３５  信号処理部
３６  伝搬路推定部
４０  ＭＩＭＯ分離部
４１  切り替え部
４２  シングルキャリア処理部
４３  マルチキャリア処理部
５０  ＩＦＦＴ部
５１  復調部
５２  デインタリーブ部
５３  誤り訂正復号部
６０  Ｐ／Ｓ変換部
７０  重み生成部
７１  重み乗算部
９０  ＤＦＴ部
９１  スペクトルマッピング部
９２  ＩＦＦＴ部
１００  Ｐ／Ｓ変換部
１２０  ＭＩＭＯ分離部
１２１  ゼロ置換部
１２２  送信スペクトル情報部
１２３  重み生成部
１２４  重み乗算部
１２５  スペクトルデマッピング部
【発明を実施するための最良の形態】
【００２７】
（第１の実施形態）
次に、本発明に係る実施形態について、図面を参照しながら説明する。第１の実施形態では、複数の送信装置が同一時刻同一周波数で基地局にアクセスを行なうマルチユーザＭＩＭＯシステムにおいて、各送信装置がシングルキャリア伝送、あるいはマルチキャリア伝送を行なうため、受信装置で受信される信号が、シングルキャリアとマルチキャリアが混在する環境を想定している。本発明は、上記の環境においても各ユーザの信号を分離できる通信システムを実現するものである。
【００２８】
図１は、シングルキャリアで送信を行なう送信装置の概略構成を示す図である。シングルキャリア伝送には様々なものが存在するが、本明細書では、シングルキャリア伝送を時間領域で信号を生成する伝送方式と定義し、マルチキャリア伝送を周波数領域で信号を生成する伝送方式と定義する。従って、第１の実施形態ではシングルキャリア伝送として、純粋なシングルキャリア伝送を例に説明を行なうが、ＤＳ−ＣＤＭＡ（Direct Sequence Code Division Multiple Access）や、３ＧＰＰ（3rd Generation Partnership Project ）のＬＴＥ（Long Term Evolution）におけるアップリンクで採用されているＤＦＴ−Ｓ −ＯＦＤＭ（Discrete Fourier Transform Spread OFDM、ＳＣ−ＦＤＭＡとも称される）や、ＬＴＥ−Ａ（LTE Advanced）で議論されているＣｌｕｓｔｅｒｅｄ  ＤＦＴ−Ｓ−ＯＦＤＭ等、他のシングルキャリアベースの送信方法でも適用可能である。
【００２９】
図１において、情報データ、すなわち、データビット系列は、誤り訂正符号化部１０に入力される。誤り訂正符号化部１０では、入力されたデータビット系列列に対して、畳み込み符号、ターボ符号あるいはＬＤＰＣ（Low Density Parity Check）符号等の誤り訂正符号化を行ない、得られた符号化ビット系列を、インタリーブ部１１に出力する。インタリーブ部１１は、伝搬路の影響をランダム化するための順番の並び変えを行ない、変調部１２へ出力する。変調部１２は、ＱＰＳＫ（Quaternary Phase Shift Keying）や１６ＱＡＭ（Quadrature Amplitude Modulation）等の変調シンボルをＮＦＦＴシンボル生成し、ＧＩ付加部１３へ出力する。ＧＩ付加部１３は、入力された信号について、ＮＦＦＴシンボルの信号の後部ＮＧＩシンボルを入力された信号の前方に付加する処理を行ない、ＮＦＦＴ＋ＮＧＩシンボルの信号系列を出力する。時刻ｔにおいてＧＩ付加部１３の出力したデータ信号ｓ（ｔ）は、フレーム構成部１４に入力され、参照信号生成部１５が生成した参照信号との多重を行なってフレームを構成し、無線送信部１６に出力する。無線送信部１６は、入力されたディジタル信号に対し、Ｄ／Ａ（Digital to Analog）変換、アップコンバージョン、帯域通過フィルタリング等の処理を施した後、アンテナ部１７から送信を行なう。
【００３０】
次に、ＯＦＤＭで送信を行なう送信装置の構成について説明を行なう。なお、本実施形態ではマルチキャリア伝送としてＯＦＤＭを例に説明を行なうが、ＭＣ−ＣＤＭＡやＶＳＦ−ＯＦＣＤＭ（Variable Spreading Factor Orthogonal Frequency and Code Division Multiplexing）等、他のマルチキャリアベースの送信方法でも適用可能である。
【００３１】
図２は、ＯＦＤＭで送信を行なう送信装置の概略構成を示す図である。ＯＦＤＭの送信装置構成は、図１に示したシングルキャリア送信装置構成において、変調部１２とＧＩ付加部１３との間にＩＦＦＴ（Inverse Fast Fourier Transform）部２０を挿入することで構成され、その他の構成は同じである。ＩＦＦＴ部２０では、変調シンボルを時間領域に変換する処理が行なわれる。
【００３２】
なお、第１の実施形態では、各送信装置は、１本の送信アンテナを備え、送信信号を１系統だけ送信する例について説明を行なっているが、１つの送信装置が複数のアンテナを備え、複数系統を用いて複数の送信信号を送信してもよい。
【００３３】
ここで、移動端末がマルチキャリア送信装置とシングルキャリア送信装置の両方を具備する場合は、一般に、移動端末の位置によって伝送方式が決定される。例えば、基地局装置からの距離が近く、移動端末の所要送信電力が低い場合はマルチキャリア伝送を用いた方が周波数利用効率を向上させることができる。また、例えば基地局装置からの距離が遠く、移動端末の所要送信電力が高い場合は、ＰＡＰＲの高いシングルキャリア伝送を行なうことで通信を可能とすることができる。
【００３４】
各送信装置から送信された信号は、伝搬路を経由し、基地局の受信装置のアンテナ部で受信される。図３は、基地局において、Ｎｒ本の受信アンテナを持つ受信装置の概略構成を示す図である。なお、送信を行なった送信装置数を、Ｕとすると、時刻ｔにおける受信信号ｒ（ｔ）（Ｎｒ×１ベクトル）は次式で表される。
【００３５】
【数１】
0005547648.tif 000002
【００３６】
ここで、
【数２】
0005547648.tif 000003
であり、ｈｎ、ｕ、ｌおよびτｌはそれぞれ、第ｌパスにおける第ｕ送信装置と第ｎ受信アンテナ間の複素チャネル利得および遅延時間、ｓｕ（ｔ）は、時刻ｔにおける第ｕ送信装置の送信信号、ηｎ（ｔ）は、第ｎ受信アンテナにおける熱雑音である。
【００３７】
アンテナ部３０−１〜３０−ｐで受信した信号ｒ（ｔ）は、無線受信部３１−１〜３１−ｐに入力される。無線受信部３１−１〜３１−ｐではダウンコンバージョン、フィルタリング処理、Ａ／Ｄ（Analog to Digital）変換が行なわれた後、参照信号分離部３２−１〜３２−ｐに入力される。参照信号分離部３２−１〜３２−ｐでは、参照信号とデータ信号の分離を行なう。
【００３８】
参照信号は、伝搬路推定部３６に入力され、データ信号はＧＩ除去部３３−１〜３３−ｐに入力される。ＧＩ除去部３３−１〜３３−ｐでは、ＮＦＦＴ＋ＮＧＩシンボルのデータ信号から、送信装置で付加したＮＧＩシンボルのＧＩの除去を行ない、ＦＦＴ部３４−１〜３４−ｐへ出力する。ＦＦＴ部３４−１〜３４−ｐでは、入力された信号に対してＦＦＴを適用し、周波数領域信号への変換を行なう。これらの処理は、アンテナ部３０−１〜３０−ｐ毎に、それぞれ独立して行なわれる。
【００３９】
ＦＦＴ部３４−１〜３４−ｐの出力である、式（３）で表される時間領域受信信号にＦＦＴを適用することで得られる第ｋサブキャリアにおける周波数領域受信信号ベクトルＲ（ｋ）（Ｎｒ×１ベクトル）は、次式で与えられる。
【００４０】
【数３】
0005547648.tif 000004
【００４１】
ここで、
【数４】
0005547648.tif 000005
であり、第ｋサブキャリアの伝搬路行列Ｈ（ｋ）（Ｎｒ×Ｕ行列）を構成するＨｎ、ｕ（ｋ）は、第ｕ送信装置と第ｎ受信アンテナとの間の伝搬路、Ｓｕ（ｋ）は第ｕ送信装置の第ｋサブキャリアの送信スペクトル、Πｎ（ｋ）は第ｎ受信アンテナにおける第ｋサブキャリアの雑音成分である。ＦＦＴ部３４−１〜３４−ｐの出力は信号処理部に入力される。
【００４２】
伝搬路推定部３６では、受信アンテナ本数分の受信参照信号を用いて、式（４）で表される各送信装置と各受信アンテナとの間の伝搬路行列Ｈ（ｋ）の推定値（式（５）で表される。）と、受信アンテナにおける平均雑音電力σ２の推定を行ない、信号処理部３５に出力する。
【００４３】
【数５】
0005547648.tif 000006
図４は、信号処理部３５の概略構成を示す図である。信号処理部３５では、入力された受信アンテナ本数分の周波数領域のデータ信号と、伝搬路行列推定値と、平均雑音電力推定値を、ＭＩＭＯ分離部４０に入力する。ＭＩＭＯ分離部４０では、入力された伝搬路行列推定値、および平均雑音電力推定値を用いて各送信装置のデータを分離する信号処理を行ない、分離されたＵ人分（Ｕ個の送信装置）の周波数領域信号を切り替え部４１に出力する。このＭＩＭＯ分離部４０の概略構成については後述する。
【００４４】
切り替え部４１では、分離されたＵ人分の周波数領域信号がシングルキャリア伝送された信号であるか、ＯＦＤＭ伝送された信号であるかを判断し、この判断結果に応じて、入力信号の出力先を切り替える。すなわち、切り替え部４１は、入力信号をシングルキャリア処理部４２、またはマルチキャリア処理部４３のいずれか一方に出力する。例えば、ユーザｕがシングルキャリア伝送を行なっている場合、ＭＩＭＯ分離部４０が出力したユーザｕの周波数領域信号は、切り替え部４１によって、シングルキャリア処理部４２に出力される。一方、ユーザｕがＯＦＤＭ伝送を行なっている場合は、ＭＩＭＯ分離部４０が出力したユーザｕの周波数領域信号は、切り替え部４１によって、マルチキャリア処理部４３に出力される。
【００４５】
図５は、シングルキャリア処理部４２の概略構成を示す図である。シングルキャリア処理部４２では、図５に示すように、分離が行なわれた第ｕユーザの周波数領域信号は、ＩＦＦＴ部５０によって時間領域へ変換される。次に、復調部５１において、送信装置で行なわれた変調に基づいた復調が行なわれる。さらに、デインタリーブ部５２において、送信装置で行なわれたインタリーブを戻す処理を行ない、誤り訂正復号部５３において、誤り訂正復号処理を行なう。これにより、第ｕユーザが送信したデータを得る。
【００４６】
図６は、マルチキャリア処理部４３の概略構成を示す図である。このマルチキャリア処理部４３は、図５に示したシングルキャリア処理部４２において、ＩＦＦＴ部５０が、Ｐ／Ｓ変換部６０となる点以外は同様の構成を採る。
【００４７】
図７は、ＭＩＭＯ分離部４０の概略構成を示す図である。伝搬路推定部３６から入力された伝搬路行列の推定値（式（５）で表される。）と、雑音電力推定値σ２は、重み生成部７０に入力される。重み生成部７０では、ＭＭＳＥ（Minimum Mean Square Error; 最小平均自乗誤差）重みや、ＺＦ（Zero Forcing）重み等の重みの算出が行なわれる。例えば、ＭＭＳＥ重み行列ｗ（ｋ）（Ｕ×Ｎｒ行列）は次式で与えられる。
【００４８】
【数６】
0005547648.tif 000007
ここで、Ｉは、Ｎｒ×Ｎｒの単位行列であり、（．）Ｈは、エルミート転置を施した随伴行列を表す。
【００４９】
得られた重みは、重み乗算部７１へ入力される。また、重み乗算部７１では、重み行列ｗ（ｋ）（Ｕ×Ｎｒ行列）とベクトルＲ（ｋ）（Ｎｒ×１ベクトル）の乗算を行なうことで、ＭＩＭＯ分離を行なう。分離後の各ユーザの周波数領域信号ベクトル（Ｕ×１ベクトル）は、次式で表される。
【００５０】
【数７】
0005547648.tif 000008
重み乗算部７１は、Ｕユーザ分の分離後の各ユーザの周波数領域信号を出力する。第１の実施形態のＭＩＭＯ分離部４０は、受信アンテナでシングルキャリア信号とＯＦＤＭ信号が混在する場合において、各ユーザの伝送方式に依らず、一括でＭＭＳＥ重みを乗算し、ＭＩＭＯ分離を行なう構成となっている。
【００５１】
図８は、第１の実施形態の伝送特性を計算機シミュレーションした結果を示す図である。図８において、横軸は、平均受信ＥＳ／Ｎ０、縦軸は、ＢＥＲ（Bit Error Rate）である。ここで、Ｅｓは、１シンボルあたりのエネルギー、Ｎ０は、雑音スペクトル密度である。図８に示すように、シングルキャリア（ＳＣ）同士でＭＵ−ＭＩＭＯを行なった場合の特性と、ＯＦＤＭとＳＣが混在したＭＵ−ＭＩＭＯにおけるＳＣの特性は一致する。このことから、各ユーザの伝送方式に関わらず、一括でＭＭＳＥ重みを乗算することによって分離が可能であることが分かる。
【００５２】
なお、第１の実施形態では、ＭＩＭＯ分離法として、アンテナ毎に重みを乗算し、アンテナ合成する空間フィルタリングを用いているが、ＭＬＤ（Maximum Likelihood Detection）等、他の分離法を用いても良い。
【００５３】
従来、送信装置は、他の送信装置と同一の伝送方式で送信を行なうことでマルチユーザＭＩＭＯを達成する必要があったが、第１の実施形態によれば、各送信装置は、他の送信装置の伝送方式に関わらずに伝送方式を決定することができる。例えば、あるユーザがシングルキャリア伝送を行なっている場合においても、他のユーザは同一時刻同一周波数において周波数利用効率の高いマルチキャリア伝送を用いることができる。あるいは、あるユーザがマルチキャリア伝送を行なっている場合においても、他のユーザは同一時刻同一周波数において許容送信電力の制限の少ないシングルキャリア伝送を用いることができる。このように、マルチユーザＭＩＭＯシステムにおいて、シングルキャリア伝送とマルチキャリア伝送が混在することを許容するシステムとすることによって、セルスループットを飛躍的に増加させることができる。
【００５４】
（第２の実施形態）
上記の第１の実施形態では、各ユーザのスペクトルがすべて重なる場合について説明を行なったが、第２の実施形態では、ある一部のスペクトルのみでＭＩＭＯ多重が行なわれる場合について説明を行なう。また、第２の実施形態では、シングルキャリア伝送としてＣｌｕｓｔｅｒｅｄ  ＤＦＴ−Ｓ−ＯＦＤＭ、マルチキャリア伝送として不連続帯域を用いたＯＦＤＭで説明を行なうが、他の方式を用いた場合においても本発明を実施することができる。
【００５５】
図９は、Ｃｌｕｓｔｅｒｅｄ  ＤＦＴ−Ｓ−ＯＦＤＭで送信を行なう送信装置の概略構成を示す図である。図１に示した、シングルキャリアで送信を行なう送信装置の構成と比較して、変調部１２とＧＩ付加部１３との間に、ＤＦＴ部９０、スペクトルマッピング部９１、ＩＦＦＴ部９２が挿入される点のみが異なる。
【００５６】
変調部１２の出力は、ＤＦＴ部９０に入力される。ＤＦＴ部９０は、ＮＤＦＴ個の変調シンボルに対して、ＮＤＦＴポイントＤＦＴを適用し、周波数信号に変換する。得られたＮＤＦＴポイントの周波数スペクトルは、スペクトルマッピング部９１に出力される。スペクトルマッピング部９１は、入力されたＮＤＦＴポイントの周波数スペクトルをクラスタ（クラスタは１以上のスペクトルの集合）に分割し、クラスタ毎にＮＦＦＴポイントの周波数ポイントのどこかに割り当てる。割り当て方法としては、伝搬路状態の良い任意の周波数に割り当てを行なったり、他の送信装置が使用していない周波数に割り当てたりする方法等、様々なものがある。スペクトルマッピング部９１は、割り当てが行なわれなかった周波数には０を挿入し、ＩＦＦＴ部９２に出力する。
【００５７】
ＩＦＦＴ部９２は、スペクトルマッピング部９１により得られた割り当て後の周波数信号に対してＮＦＦＴポイントＩＦＦＴを適用し、ＮＦＦＴシンボルの時間領域の信号に変換して出力する。ＩＦＦＴ部９２の出力は、ＧＩ付加部１３に入力される。後の処理は、図１に示した第１の実施形態の場合と同様である。
【００５８】
図１０は、ＯＦＤＭで送信を行なう送信装置の構成を示す図である。この送信装置は、図９に示した、Ｃｌｕｓｔｅｒｅｄ  ＤＦＴ−Ｓ−ＯＦＤＭで送信を行なう送信装置の構成と比較して、ＤＦＴ部９０の代わりにＳ／Ｐ変換部１００を有している点のみが異なる。Ｓ／Ｐ変換部１００では、変調部１２から入力された信号に対し、直並列変換を行ない、スペクトルマッピング部９１に出力する。それ以降の処理は、図９に示したＣｌｕｓｔｅｒｅｄ  ＤＦＴ−Ｓ−ＯＦＤＭで送信を行なう送信装置と同様である。
【００５９】
図１１は、Ｃｌｕｓｔｅｒｅｄ  ＤＦＴ−Ｓ−ＯＦＤＭおよびＯＦＤＭのスペクトルが多重された様子を示す図である。第２の実施形態では、図１１に示すように、受信アンテナにおいて、周波数帯域の一部のみ、Ｃｌｕｓｔｅｒｅｄ  ＤＦＴ−Ｓ−ＯＦＤＭとＯＦＤＭのスペクトルが多重され受信される。
【００６０】
第２の実施形態に係る受信装置の構成について説明する。信号を受信してＭＩＭＯ分離部に入力するまでの処理は、図３〜図７に示した第１の実施形態に係る受信装置と同様である。図１２は、第２の実施形態に係るＭＩＭＯ分離部の構成を示す図である。ＭＩＭＯ分離部１２０では、伝搬路推定部３６から入力された伝搬路行列推定値と平均雑音電力推定値をゼロ置換部１２１に入力する。ゼロ置換部１２１では、送信スペクトル情報部１２２から通知される各ユーザの使用周波数情報を基に、式（４）で表される各サブキャリアの伝搬路行列の要素のうち、データ送信が行なわれていない伝搬路の値を０とし、重み生成部１２３にゼロ置換された伝搬路行列推定値と平均雑音電力推定値を出力する。重み生成部１２３では、ＭＭＳＥ重みやＺＦ重み等重みの算出が行なわれる。例えば、ＭＭＳＥ重みｗ（ｋ）（Ｕ×Ｎｒ行列）は、式（６）に基づいて算出される。
【００６１】
得られた重みは、重み乗算部１２４へ出力される。重み乗算部１２４において、各アンテナの周波数領域受信信号は、重み乗算部１２４に入力され、重みとの乗算が行なわれる。その結果、ユーザ毎に分離された周波数領域信号が得られる。各ユーザの周波数領域信号は、スペクトルデマッピング部１２５へ入力される。スペクトルデマッピング部１２５では、送信スペクトル情報部１２２からの各ユーザの使用周波数情報を基に、各ユーザの送信スペクトルを抽出する処理が行なわれる。スペクトルデマッピング部１２５は、各ユーザの周波数領域信号を出力する。
【００６２】
その後、各ユーザの周波数領域信号は、第１の実施形態と同様に、図４に示した切り替え部４１に入力され、送信信号がシングルキャリア伝送であるか、マルチキャリア伝送であるかによって、それぞれシングルキャリア処理部４２あるいはマルチキャリア処理部４３に入力される。
【００６３】
このように、マルチユーザＭＩＭＯを行なうユーザ同士が、送信を行なうすべての帯域を共有するのではなく、部分的に多重することを許容することによって、より柔軟な周波数スケジューリングを行なうことができる。また、他のユーザが多重されていない、あるいは多重数が受信アンテナ本数より少ない周波数においては、受信アンテナダイバーシチ効果も得られるため、良好な伝送特性を達成することができる。上記の結果、セルスループットを大幅に向上させることができる。
【図１】
0005547648.tif 000009
【図２】
0005547648.tif 000010
【図３】
0005547648.tif 000011
【図４】
0005547648.tif 000012
【図５】
0005547648.tif 000013
【図６】
0005547648.tif 000014
【図７】
0005547648.tif 000015
【図８】
0005547648.tif 000016
【図９】
0005547648.tif 000017
【図１０】
0005547648.tif 000018
【図１１】
0005547648.tif 000019
【図１２】
0005547648.tif 000020